(57)【要約】【課題】本発明の目的は、容器内に収容された収容物の汁等の漏出防止ができるような嵌合状態にある蓋を、片手のみで容易に外すことができる容器の蓋を提供することにある。【解決手段】開口部を有する容器２を開閉可能に覆い、容器２の開口端部に嵌合する外周部を有する蓋１において、その蓋１の外周部には外方へ突出するタブ８が形成され、また、外周部の内側の天板部には、タブ８を挟持する指の指先を宛がうための指宛部としての膨出部１０が形成されている。【選択図】図１
2010202212.tif 000002
【特許請求の範囲】
【請求項１】
開口部を有する容器を開閉可能に覆い、前記容器の開口端部に嵌合する外周部を有する蓋において、前記蓋の外周部には外方へ突出するタブが形成され、前記外周部の内側の天板部には、前記タブを操作する指の指先を宛がうための指宛部が形成されたことを特徴とする容器の蓋。
【請求項２】
前記蓋は、天板と側板とにより形成された台形状の前記天板部と、その天板部の下端から外方へ延在する溝底部と、その溝底部の外周端から上方へ延在する外側板及びその外側板の上端から外方へ延在する平板部よりなる前記外周部とにより構成され、前記指宛部は、前記天板及び側板の一部が凹設された凹設部において上方へ膨出した膨出部であることを特徴とする請求項１に記載の容器の蓋。
【請求項３】
前記蓋の天板部は四角台形状をなし、前記膨出部は、前記天板部の隣接する側板どうしが交差する交差部が全高に亘って凹設された凹設部に形成されると共に、前記タブが、前記交差部の直近の前記外周部の角部に形成されていることを特徴とする請求項２に記載の容器の蓋。
【請求項４】
前記凹設部を形成する斜面部には、その一部が中心側へ向かって凹んだ凹部が形成されていることを特徴とする請求項３に記載の容器の蓋。
【請求項５】
前記タブは、前記指宛部に指先を宛がった親指の第一関節近傍の腹と、人差し指の側部とで挟持することが可能な長さに形成されていることを特徴とする請求項１ないし４のうちいずれか一項に記載の容器の蓋。
【請求項６】
前記蓋は、天板と側板とにより形成された台形状の前記天板部と、その天板部の下端から外方へ延在する平板部と、その平板部の外周端から下方へ延在し嵌合部が設けられた外側板からなる前記外周部とにより形成され、前記タブは、前記外側板の下端から上方及び外方へ突出して設けられると共に、前記指宛部は、前記天板及び側板の一部が凹設された凹設部において上方へ膨出した膨出部であることを特徴とする請求項１に記載の容器の蓋。
【請求項７】
前記指宛部に指先を宛がうことを案内する表示部が設けられたことを特徴とする請求項１ないし６のうちいずれか一項に記載の容器の蓋。
【発明の詳細な説明】
【技術分野】
【０００１】
本発明は、食品等を収容する容器を閉塞する蓋に係り、特には容器に収容された収容物の汁等の漏出が防止されるように容器を密閉状態に閉塞する蓋に関する。
【背景技術】
【０００２】
従来、この種の容器及び蓋として、合成樹脂製シートを真空成形したものが多く用いられている。この容器の蓋は、容器内に食品等を収容して容器の開口部を閉塞した時、容器内の収容物の汁等が漏出しないように、容器の開口部に適切に係止される必要がある。このため、容器の開口端部に嵌合されるように、嵌合部が形成された蓋を容器に被せた時、容器に対して蓋が所定の力で係止されるようになっている。そして、所定の力に抗して蓋を外すことが容易となるように、蓋の外縁の一部に平板状のタブが形成されている。
【０００３】
特許文献１に開示されている「蓋付容器とその成形方法」は、容器内面の口部近傍位置の全周に亘って窪み部を形成した発泡樹脂シート製の成形容器本体に、この容器本体の窪み部に弾性嵌合する環状張り出し部を形成した樹脂成形蓋を内嵌合させたものである。このように、張り出し部と窪み部との嵌合により、容器内外の空間を完全に遮断できるようになっている。そして、電子レンジ加熱により発生する蒸気の圧力や振動等が加わった時に、蓋が外れて容器内の汁が漏れることがないようになっている。
【０００４】
特許文献２に開示されている「食品嵌合容器」は、容器本体の上端外周縁部に本体開口面内の中心に関して対向する少なくとも一対の嵌合凹部が形成され、その嵌合凹部に係合するように蓋体の裏面内方に一対の突部が形成され、更に、蓋体側面に指先を挿入できる切り込み開口が形成されたものである。このような構成により、本体側面に突出したフランジ手段を設けることなく、蓋体を片手で容易に脱着できると共に、優れた密閉性を有しているとされている。
【０００５】
特許文献３に開示されている「容器の蓋」は、開口部を有する容器を開閉可能に覆う、天板部と外周部からなる蓋において、蓋の外周部には外方へ膨らむタブが形成され、そのタブは前部膨出部及び後部膨出部で形成され、その前部膨出部と後部膨出部とは屈曲可能な連結部で連結されている。この容器の蓋は、熱収縮フィルムを用いて蓋付容器の一部又は全部を覆った場合、膨張タブを有しているにも関わらず、嵩張ることがなく取り扱うことができるようになっている。
【先行技術文献】
【特許文献】
【０００６】
【特許文献１】特開平９−２１６６４９号公報（［要約］を参照）
【特許文献２】実開平５−７６４６号公報（［要約］を参照）
【特許文献３】特開２００８−２８００７２号公報（［要約］を参照）
【発明の概要】
【発明が解決しようとする課題】
【０００７】
ところが、特許文献１に開示されている容器は、蓋が外れて容器内の汁が漏れることがないように容器に蓋を閉合することができるが、容器から蓋を外すときは、一方の手でツマミ部を摘み、他方の手で容器或いは蓋の一部と容器とを押さえて、蓋を上方へ引き上げて外す必要がある。片方の手のみで蓋を外すことは困難である。
【０００８】
また、特許文献２に開示されている容器は、片方の手で容易に脱着できるとされているが、嵌合凹部と突部とを嵌合させて、優れた密閉性を有した状態で容器に蓋を閉合する場合は、密閉性を保つために強い嵌合力が必要であり、その強い嵌合力に抗して蓋を片手で外すことは、通常の手の大きさと力を有する人にとっては困難である。
【０００９】
更に、特許文献３に開示されている容器は、熱収縮フィルムを用いて容器全体を覆うことが容易であり、且つ、蓋を容器から外すことが容易となっているが、容器を一方の手で押さえることなく、他方の手でタブを摘んで蓋を外すことは困難である。
【００１０】
本発明は、このような問題に着目してなされたものであり、その目的とするところは、容器内に収容された収容物の汁等の漏出防止ができるような嵌合状態にある蓋を、片手のみで容易に容器から外すことができる容器の蓋を提供することにある。
【課題を解決するための手段】
【００１１】
上記問題を解決するために請求項１に記載の容器の蓋の発明は、開口部を有する容器を開閉可能に覆い、前記容器の開口端部に嵌合する外周部を有する蓋において、前記蓋の外周部には外方へ突出するタブが形成され、前記外周部の内側の天板部には、前記タブを操作する指の指先を宛がうための指宛部が形成されたことを特徴とするものである。
【００１２】
請求項１に記載の発明によれば、蓋の外周部に外方へ突出するタブが形成され、そのタブを指で挟持する等して操作できるようになっている。そして、タブが形成された外周部の内側の天板部に、タブを挟持した指の指先を宛がうための指宛部が形成されている。このため、親指と人差し指とでタブを挟持したまま、親指の指先を指宛部に宛がって、タブを内側上方へ引き上げれば、タブの根元の外周部近傍の容器に対する蓋の嵌合を容易に外すことができる。そのとき、指先で指宛部を押さえているので、タブを挟持していない他方の手で容器や蓋等を押さえることなく、蓋を開けることができる。
【００１３】
請求項２に記載の発明は、請求項１に記載の容器の蓋において、前記蓋は、天板と側板とにより形成された台形状の前記天板部と、その天板部の下端から外方へ延在する溝底部と、その溝底部の外周端から上方へ延在する外側板及びその外側板の上端から外方へ延在する平板部よりなる前記外周部とにより構成され、前記指宛部は、前記天板及び側板の一部が凹設された凹設部において上方へ膨出した膨出部であることを特徴とするものである。
【００１４】
請求項２に記載の発明によれば、容器に対して内側に嵌め合わされる蓋において、蓋の天板及び側板の一部が凹まされた凹設部に、上方へ膨出した膨出部が形成されている。このため、蓋を外す時、膨出部に指先を宛がうことにより、膨出部に対して下方へ押込む力がかかるが、天板及び側板に凹設部が加わることが補強となって、その部分の剛性が高まるので、蓋が撓んで沈み込むことを未然に防ぐことができる。従って、タブを内側上方へ引き上げる時、膨出部及びその内側部分近傍を回転中心として、蓋の一部を弾性変形させながら回転させれば、容器に対する蓋の嵌合を外すことができる。
【００１５】
請求項３に記載の発明は、請求項２に記載の容器の蓋において、前記蓋の天板部は四角台形状をなし、前記膨出部は、前記天板部の隣接する側板どうしが交差する交差部が全高に亘って凹設された凹設部に形成されると共に、前記タブが、前記交差部の直近の前記外周部の角部に形成されていることを特徴とするものである。
【００１６】
請求項３に記載の発明によれば、四角台形状をなす天板部の隣接する側板どうしが交差する交差部が全高に亘って凹まされた凹設部に、膨出部が形成されている。また、タブが、その交差部の直近の外周部の角部に形成されている。このため、膨出部近傍及びその外側の平面三角状の蓋の角部は、互いに直行する二面の外側板により剛性が高められているので、タブを内側上方へ引き上げる時、膨出部及びその内側部分近傍を回転中心として平面三角状の蓋の角部を回転することができる。従って、容器に対する蓋の嵌合を容易に外すことができる。
【００１７】
請求項４に記載の発明は、請求項３に記載の容器の蓋において、前記凹設部を形成する斜面部には、その一部が中心側へ向かって凹んだ凹部が形成されていることを特徴とするものである。
【００１８】
請求項４に記載の発明によれば、凹設部を形成する斜面部に、その一部が中心側へ向かって凹んだ凹部が形成されている。このため、凹部により天板と天板近傍の斜面部とが変形しやすくなっているので、斜面部の根元付近を回転中止として、膨出部近傍及びその外側の蓋を弾性変形させながら回転することを容易に行うことができる。
【００１９】
請求項５に記載の発明は、請求項１ないし４のうちいずれか一項に記載の容器の蓋において、前記タブは、前記指宛部に指先を宛がった親指の第一関節近傍の腹と、人差し指の側部とで挟持することが可能な長さに形成されていることを特徴とするものである。
【００２０】
請求項５に記載の発明によれば、外周部から突出しているタブの長さが、指宛部に指先を宛がった親指の第一関節近傍の腹と、人差し指の側部とでタブを挟持することが可能な長さとなっている。このため、平均的な手の大きさと力を有する人においても、タブを挟持して内側上方へ引き上げることにより、容器に対する蓋の嵌合を容易に外すことができる。
【００２１】
請求項６に記載の発明は、請求項１に記載の容器の蓋において、前記蓋は、天板と側板とにより形成された台形状の前記天板部と、その天板部の下端から外方へ延在する平板部と、その平板部の外周端から下方へ延在し嵌合部が設けられた外側板からなる前記外周部とにより形成され、前記タブは、前記外側板の下端から上方及び外方へ突出して設けられると共に、前記指宛部は、前記天板及び側板の一部が凹設された凹設部において上方へ膨出した膨出部であることを特徴とするものである。
【００２２】
請求項６に記載の発明によれば、容器に対して外側に嵌め合わされる蓋において、蓋を形成する天板及び側板の一部が凹設された凹設部に、上方へ膨出した膨出部が形成されている。このため、蓋を外す時、膨出部に指先を宛がうことにより、膨出部に対して下方へ押込む力がかかるが、天板及び側板に凹設部が加わった構造が剛性を高めるので、蓋の沈み込みを防ぐことができる。従って、タブを内側上方へ引き上げる時、膨出部及びその内側部分近傍を回転中心として蓋の一部を弾性変形させながら回転するようにして、容器に対する蓋の嵌合を外すことができる。
【００２３】
請求項７に記載の発明は、請求項１ないし５のうちいずれか一項に記載の容器の蓋において、前記指宛部に指先を宛がうことを案内する表示部が設けられたことを特徴とするものである。
【００２４】
請求項７に記載の発明によれば、指宛部に指先を宛がうことを案内する表示部が設けられている。このため、表示部の案内の通りに指先を宛がうことができるので、タブを操作すると共に、挟持する等して操作する手の親指の指先を、より確実に指宛部である膨出部に宛がうことができる。  
【発明の効果】
【００２５】
本発明によれば、容器内に収容された収容物の汁等が漏出しないように、容器に嵌合されて密閉状態を維持するようにした蓋において、蓋の外周部には外方へ突出するタブが形成され、また、その外周部の内側の天板部には、タブを操作するためにタブを挟持する指の指先を宛がうための指宛部が形成されている。このため、指宛部に親指の指先を宛がい、親指と人差し指でタブを挟持して引き上げるようにすれば、片方の手のみで容器から蓋を外すことできる容器の蓋を提供することができる。
【図面の簡単な説明】
【００２６】
【図１】本発明の第１実施形態の蓋が容器に嵌合している状態を示す斜視図。
【図２】第１実施形態の蓋の平面図。
【図３】（ａ）は図２のＡＡ矢視の一部断面図、（ｂ）は図２のＢＢ矢視の一部断面図。
【図４】第１実施形態の蓋を容器から外そうとする状態を模式的に示す一部断面図であり、（ａ）はタブを挟持した状態を示し、（ｂ）はタブを引き上げた状態を示す。
【図５】第２実施形態の蓋が容器に嵌合している状態を示す斜視図。
【図６】第２実施形態の蓋の平面図。
【図７】第３実施形態の蓋が容器に嵌合している状態を模式的に示す一部断面図。
【図８】第４実施形態の蓋の平面図。
【発明を実施するための形態】
【００２７】
（第１の実施形態）
以下、本発明を具体化した実施形態を図１〜３を用いて説明する。
図１及び図２に示すように、本実施形態の蓋１の四角台形状の天板部は、天板３と、その天板３の４辺から下方外側に傾斜する側板４とから形成されている。図１に示すように、天板３と側板４との稜線、側板４どうしが交差する稜線及び天板３と２枚の側板４とで形成される角は、いずれも丸められて曲面となっている。そして、側板４の下端から外方へ延在された溝底部５が形成されている。その溝底部５の外周端から上方へ延在する外側板６が形成され、その外側板６の上端から外方へ延在する平板部７が形成されている。外側板６は、上方へ向かって内側に傾斜する傾斜面となっている。この外側板６と平板部７とにより外周部が構成されている。また、図２のＡＡ矢視が示される角部において、平板部７の一部が外方へ突出してタブ８が形成されている。このタブ８は、容器２から蓋１を外す操作をするためのもので、親指の第１関節近傍の腹と、人差し指の側部とで挟持することが可能な長さに外側板６の上端から突出している。また、タブ８には、当接する親指の腹が滑らないようにするために、細かな凸凹により滑り止部８ａが形成されている。
【００２８】
そして、タブ８に直近の天板部の角部において、天板３と互いに交差する側板４により形成される交差部とを全高に亘って面取り状に凹ませて、凹設部１１を設けている。この凹設部１１は、天板部の角を面取りしたような斜面部１１ａと底部１１ｂとにより構成されている。そして、底部１１ｂの一部が上方へ膨出して略円錐台状の膨出部１０が形成されている。この膨出部１０が、タブ８を挟持した親指の指先を宛がう指宛部となる。
【００２９】
図３に示すように、本実施形態の蓋１は、容器２の内側に嵌め合わされて密閉状態に閉合される。その嵌合は、上方へ向かって内側に傾斜する容器２の嵌合側板２ｂを拡開するように、蓋１の溝底部５及び外側板６の部分を押込み、容器２の段部２ａに対して溝底部５の裏面を当接させることにより行われる。この時、嵌合側板２ｂに対して外側板６が圧入状態となるので、段部２ａと溝底部５の裏面との当接面、或いは嵌合側板２ｂと外側板６との当接面により、容器２内に収容された収容物の汁等が容易に漏出しないようにシールされている。なお、本実施形態の蓋１及び容器２は、ポリスチレン製シートを真空成形した成形品である。
【００３０】
次に、図４を用いて、容器２から蓋１を外す時の作用を説明する。
図４（ａ）に示すように、容器２に嵌合されている蓋１のタブ８を、親指の第１関節近傍の腹と人差し指の側部とで挟んで持ち、親指の指先を膨出部１０に宛がうようにする。そして、図４（ｂ）に示すように、親指の指先で膨出部１０を押込むようにして、タブ８を内側上方へ引き上げれば、斜面部１１ａの根元部１３付近を回転中心として、根元部１３よりも外側の平面三角状の蓋１の角部を、弾性変形させながら回転することができる。
【００３１】
この時、親指で膨出部１０を押さえ込んでいるので、他方の手で容器２や蓋１を押さえて固定する必要がない。
また、図３（ａ）に示すように、膨出部１０の頂部は、タブ８の位置よりも高い位置に配置されているので、膨出部１０に親指の指先を宛がってタブ８を引き上げるとき、タブ８の根元付近の外側板６を上方へ移動させて、容器２の嵌合側板２ｂに対する内嵌合を外すことを容易に行うことができる。一方、膨出部１０の頂部が、タブ８の位置よりも低い位置に配置され、その位置が低いほど、タブ８を引き上げる方向がより内向きとなり、外側板６と嵌合側板２ｂとの嵌合を外すことの容易性が弱くなるので好ましくない。
【００３２】
そして、タブ８の根元近傍の嵌合側板２ｂと外側板６との嵌合が外れることにより、その他の部位の嵌合側板２ｂと外側板６との嵌合は、タブ８の引き上げに伴って、弱い力で容易に外すことができる。この時、指先で膨出部１０を抑えることは不要となる。
【００３３】
なお、膨出部１０には、親指のイラスト或いは漢字の「押」等を描く等して、膨出部１０に親指の指先を宛がうことを案内する表示部（図示せず）を設けた。
従って、上記実施形態の蓋１によれば、以下のような効果を得ることができる。
【００３４】
（１）上記実施形態では、蓋１の外周部を構成する平板部７の一部を外方へ突出させたタブ８を形成し、そのタブ８を指で挟持できるようにした。そして、タブ８が形成された外周部の内側の天板部に、タブ８を挟持した指の指先を宛がうための指宛部として、膨出部１０を形成した。このため、親指と人差し指とでタブ８を挟持したまま、親指の指先を膨出部１０に宛がって、タブ８を内側上方へ引き上げれば、タブ８が形成されている外周部近傍において、容器２に対する蓋１の嵌合を容易に外すことができる。このとき、指先で膨出部１０を押さえているので、タブ８を挟持しない他方の手で容器２や蓋１等を押さえることなく、蓋１を開けることができる。
【００３５】
（２）上記実施形態では、容器２の内側に嵌め合わされる蓋１において、蓋１の天板部を形成する天板３及び側板４の一部を凹ませた凹設部１１に、上方へ膨出した膨出部１０を形成した。このため、蓋１を外す時、膨出部１０に指先を宛がうことにより、膨出部１０に対して下方へ押込む力が作用するが、天板３及び側板４に凹設部１１が加わった構造が剛性を高めるので、蓋１が撓んで沈み込むことを防ぐことができる。従って、タブ８を内側上方へ引き上げる時、膨出部１０及びその内側部分近傍を回転中心として蓋１の一部を弾性変形させながら回転するようにして、容器２に対する蓋１の嵌合を外すことができる。
【００３６】
（３）上記実施形態では、四角台形状をなす天板部の隣接する側板４どうしが交差する交差部を、全高に亘って凹ませた凹設部１１に、膨出部１０を形成した。また、タブ８を、その交差部の直近の外周部の角部に形成した。このため、膨出部１０近傍及びその外側の平面三角状の蓋１の角部は、互いに直行する二面の外側板６により剛性が高められているので、タブ８を内側上方へ引き上げる時、膨出部１０及びその内側部分近傍を回転中心として平面三角状の蓋１の角部を回転することを容易に行うことができる。従って、片手の操作のみで、容器２に対する蓋１の嵌合を容易に外すことができる。
【００３７】
（４）上記実施形態では、外側板６の上端から突出しているタブ８の長さを、膨出部１０に指先を宛がった親指の第一関節近傍の腹と、人差し指の側部とでタブ８を挟持することが可能な長さとした。このため、平均的な手の大きさと力を有する人においても、タブ８を挟持して内側上方へ引き上げることにより、容器２に対する蓋１の嵌合を容易に外すことができる。
【００３８】
（第２の実施形態）
次に、本発明を具体化した第２実施形態を、第１実施形態と異なる部分を中心に図５及び図６を用いて説明する。
【００３９】
図５及び図６に示すように、本実施形態の蓋１においては、底部１１ｂの一部が上方へ膨出すると共に、斜面部１１ａの一部が外方へ膨出するように膨出部１０が形成されている。この膨出部１０が、タブ８を挟持した親指の指先を宛がう指宛部となる。
【００４０】
また、斜面部１１ａの上側には、一部が中心側へ向かって凹んで、凹底部１２ｂと凹側部１２ａとからなる凹部１２が形成されている。このため、凹部１２の形状が中心側への変形を起こりやすくするものとなり、天板３、側板４及び斜面部１１ａからなる角部の剛性が弱められている。
【００４１】
そして、この第２実施形態においては、第１実施形態における効果に加えて、以下の効果を得ることができる。
（５）上記実施形態では、凹設部１１を形成する斜面部１１ａに、その一部が中心側へ向かって凹んだ凹部１２を形成した。このため、斜面部１１ａの上方の剛性が凹部１２により弱められて変形しやすくなっているので、斜面部１１ａの根元部１３付近を回転中止として、膨出部１０近傍及びその外側の蓋１を弾性変形させながら回転することを容易に行うことができる。
【００４２】
（第３の実施形態）
次に、本発明を具体化した第３実施形態を、第１、２実施形態と異なる部分を中心に図７を用いて説明する。
【００４３】
図７に示すように、蓋２０の天板部は、天板２２と側板２３とにより形成されている。そして、側板２３の下端から外方へ延在する平板部２５が形成され、その平板部２５の外周端から下方へ延在し嵌合部２７が設けられた外側板２６からなる外周部が形成されている。指宛部としての膨出部２１は、天板２２及び側板２３の一部が凹まされた凹設部２４において上方へ膨出するように形成されている。タブ２８は、外側板２６の下端から上方及び外方へ突出した曲板状に設けられている。
【００４４】
本実施形態の蓋２０は容器２９の外側に嵌め合わされており、容器２９の上端面に断面Ｃ字状に形成された被嵌合部３０に対し、蓋２０の外側板２６が嵌合して、外側板２６の一部が内側に湾曲した嵌合部２７により、嵌合状態が容易には外れないようになっている。
【００４５】
なお、本実施形態においては、側板２３の下端から直接外方へ延在するように平板部２５が形成されているが、側板２３の下端と平板部２５との間に溝部等を介在させる構造とすることもできる。
【００４６】
本実施形態においても、第１、２実施形態と同様に、膨出部２１に指先を宛がった親指の第１関節近傍の腹と、人差し指の側部とでタブ２８を挟持して、タブ２８を内側上方へ引き上げれば、嵌合部２７と被嵌合部３０とによる嵌合が外れて、容器２９から蓋２０を採ることを容易に行うことができる。
【００４７】
そして、この第３実施形態においては、第１、２の実施形態における効果に加えて、以下の効果を得ることができる。
（６）上記実施形態では、容器２９の外側に嵌め合わされる蓋２０において、蓋２０を形成する天板２２及び側板２３の一部を凹ませた凹設部２４に、上方へ膨出した膨出部２１を形成した。また、蓋２０の外側板２６の下端から上方及び外方へ突出させたタブ２８を設けた。このため、蓋２０を外す時、膨出部２１に指先を宛がうことにより、膨出部２１に対して下方へ押込む力が作用するが、天板２２及び側板２３に凹設部２４が加わった構造が剛性を高めるので、蓋２０の沈み込みを防ぐことができる。また、タブ２８を内側上方へ引き上げる時、タブ２８の根元の外側板２６は上方へ引き上げられると共に外方へ引かれるので、被嵌合部３０に対する嵌合部２７の嵌合は外れやすい。従って、容器２９や蓋２０等を他方の手で押さえることなく、片手のみで容器２９から蓋２０を外すことができる。
【００４８】
（第４の実施形態）
次に、本発明を具体化した第４実施形態を、第１〜３実施形態と異なる部分を中心に図８を用いて説明する。
【００４９】
図８に示すように、本実施形態の蓋３１の天板部は、天板３と側板３２とにより円錐台状に形成されている。そして、天板３及び側板３２を凹ませた凹設部１１に膨出部１０を設けた。また、環状の平板部３３において、蓋３１の半径方向における膨出部１０の外側に、平板部３３の一部を外方へ突出させたタブ８を設けた。
【００５０】
本実施形態の蓋３１を用いる容器（図示せず）の形状は、蓋３１の嵌合が可能なように逆円錐台状となっている。このため、容器から蓋３１を外す場合、天板部が四角台形状に形成された第１〜３実施形態と同様に片手の操作で行うことができるが、容器に蓋３１を嵌める場合は、第１〜３実施形態の場合と異なり、方向性に関わりなく容器に対して蓋３１を嵌合することができる。
【００５１】
（７）上記実施形態では、蓋３１の天板部を円錐台状とし、環状の溝底部５及び平板部３３を有する蓋３１とした。このため、第１及び第２実施形態と同様に、片手のみで容器から蓋３１を外すことができるばかりでなく、容器に対して蓋３１を嵌める場合、その操作を方向性に関わらず行うことができる。
【００５２】
（変更例）
なお、上記実施形態は、次のように変更して具体化することも可能である。
・  上記第１実施形態において、膨出部１０を略円錐台状としたが、底部１１ｂの形状に沿った略三角錐台状とすること。
・  上記第４実施形態において、斜面部１１ａに凹部１２を設けたが、凹部１２を設けずに、斜面部１１ａを全高に亘って一様な面とすること。
・  天板３と互いに交差する側板４とを全高に亘って面取り状に凹ませて、凹設部１１を設け、その凹設部１１に指宛部としての膨出部１０を形成したが、天板３と互いに交差する側板４との上側の一部を面取り状に凹ませて、そこに形成された段部を指宛部とすること。
・  蓋１の外側板６を上方に向かって内側に傾斜する斜面としたが、外側板６を斜面とはせずに、外側板６の一部に外側に突出した凸部を設け、その凸部の係合が可能なように容器２の嵌合側板２ｂに凹部を設けること。或いは、外側板６の一部に内側に突出した凹部を設け、その凹部に係合可能なように容器２の嵌合側板２ｂに凸部を設けること。
・  斜面部１１ａを平面状としたが、凹曲面状或いは凸曲面状とすること。
・  タブ８を平板状としたが、タブ８の先端を下方に折り曲げて指掛け部を設け、その指掛け部に指を掛けて操作できるようにすること。
・  天板３を平板上としたが、天板３と斜面部１１ａとにより形成される稜線を除く天板３の周縁に断面台形の突条部を設けること。このようにすることで、天板部の剛性が無用に弱くなることを防止することができる。
【符号の説明】
【００５３】
１，２０，３１…蓋、２，２９…容器、３，２２…天板、４，２３，３２…側板、５…溝底部、６，２６…外側板、７，２５，３３…平板部、８，２８…タブ、１０，２１…膨出部、１１，２４…凹設部、１１ａ…斜面部、１２…凹部、２７…嵌合部。
【図１】
2010202212.tif 000003
【図２】
2010202212.tif 000004
【図３】
2010202212.tif 000005
【図４】
2010202212.tif 000006
【図５】
2010202212.tif 000007
【図６】
2010202212.tif 000008
【図７】
2010202212.tif 000009
【図８】
2010202212.tif 000010